(57)【要約】【課題】主情報の書き換え時に秘匿情報の保護が図られる記録媒体処理装置を提供する。【解決手段】記録媒体処理装置が、特定情報を含むデータブロックを２つ以上有し、かつ所定の容量の２倍以上のデータ容量の特定情報ファイルと、主情報を含む主情報ファイルと、を備えるデータから、前記所定の容量をデータ容量とする誤り訂正符号ブロックを生成する誤り訂正ブロック生成部と、前記誤り訂正ブロック中の特定情報に秘匿情報を埋め込む秘匿情報埋め込み部と、前記秘匿情報が埋め込まれた誤り訂正ブロックを記録媒体に書き込む書き込み部と、を具備する。【選択図】図５
2005317147.tif 000002
【特許請求の範囲】
【請求項１】
特定情報を含むデータブロックを２つ以上有し、かつ所定の容量の２倍以上のデータ容量の特定情報ファイルと、主情報を含む主情報ファイルと、を備えるデータから、前記所定の容量をデータ容量とする誤り訂正符号ブロックを生成する誤り訂正ブロック生成部と、
前記誤り訂正ブロック中の特定情報に秘匿情報を埋め込む秘匿情報埋め込み部と、
前記秘匿情報が埋め込まれた誤り訂正ブロックを記録媒体に書き込む書き込み部と、
を具備することを特徴とする記録媒体処理装置。
【請求項２】
前記データブロックのデータ容量が前記所定の容量と等しい
ことを特徴とする請求項１記載の記録媒体処理装置。
【請求項３】
前記誤り訂正ブロックと、前記データブロックとがセクタに区分されている
ことを特徴とする請求項１記載の記録媒体処理装置。
【請求項４】
前記誤り訂正ブロックを構成するセクタの数と、前記データブロックを構成するセクタの数が等しい
ことを特徴とする請求項３記載の記録媒体処理装置。
【請求項５】
前記データブロックの対応するセクタに、同一の秘匿情報が埋め込まれる
ことを特徴とする請求項３記載の記録媒体処理装置。
【請求項６】
前記データブロックのセクタが、セクタを識別するセクタ識別情報を含む
ことを特徴とする請求項３記載の記録媒体処理装置。
【請求項７】
前記セクタ識別情報が前記セクタの主情報領域に配置されている
ことを特徴とする請求項５記載の記録媒体処理装置。
【請求項８】
前記セクタ識別情報が前記セクタの補助情報領域に配置されている
ことを特徴とする請求項５記載の記録媒体処理装置。
【請求項９】
前記秘匿情報が、暗号化されたコンテンツを復号するための暗号鍵の少なくとも一部を構成する
ことを特徴とする請求項１記載の記録媒体処理装置。
【請求項１０】
秘匿情報が埋め込まれた特定情報を含み、論理セクタに区分され、かつ連続する２以上のデータブロックの少なくともいずれかを記録媒体から読み出す読み出し部と、
前記読み出されたデータブロックの論理セクタと、この論理セクタと対応する誤り訂正ブロックの物理セクタの対応関係に基づき、前記データブロック中から論理セクタを抽出するセクタ抽出部と、
前記抽出された論理セクタを整列してデータブロックを再生するブロック再生部と、
を具備することを特徴とする記録媒体処理装置。
【発明の詳細な説明】
【技術分野】
【０００１】
本発明は、記録媒体に秘匿情報が埋め込まれた主情報を記録または再生する記録媒体処理装置に関する。
【背景技術】
【０００２】
ＣＤ（Compact Disk）、ＤＶＤ（Digital Versatile Disk）等の記録媒体にユーザに開示することを目的としない秘匿情報を記録する場合がある。例えば、映像、音声、文章等種々のコンテンツを暗号化して記録媒体に記録する場合に、暗号化されたコンテンツと共に、これを復号する暗号鍵を秘匿情報として記録する。このようにすることで、コンテンツの再生および違法コピー防止の双方が可能となり、コンテンツに含まれる著作物の保護が図れる。
このために、主情報中に秘匿情報を埋め込む技術が公開されている（特許文献１〜５参照）。
主情報に秘匿情報を埋め込むことで、誤り訂正処理により秘匿情報を含まない主情報のみを抽出し、一方、秘匿情報は特殊な処理によりドライブ内でのみ読み出すことが可能となる。
【特許文献１】特開平９−１２８８９０号公報
【特許文献２】特開２０００−３５０号公報
【特許文献３】特開２００１−３２８０７９号公報
【特許文献４】特開２００１−２９８６３２号公報
【特許文献５】特開２００１−３１２９８３号公報
【発明の開示】
【発明が解決しようとする課題】
【０００３】
ここで、記録媒体への書き込みは一定の容量単位で行われるのが通例である。光ディスクでは誤り訂正ブロック（ＥＣＣブロック）単位で情報の書き込みが行われる。
このような場合に、主情報と秘匿情報とが混在するＥＣＣブロック中の主情報の書き換えを行うと、秘匿情報が破壊される可能性がある。この書き換えは、ＥＣＣブロックからの情報の読み出し、訂正後の再書き込みによって行われるが、ＥＣＣブロックからの情報の読み出しの際における誤り訂正処理により秘匿情報が除かれ、主情報のみが再生されるからである。
【０００４】
このような、主情報の再書き込みによる秘匿情報の破壊を防止するためには、秘匿情報の埋め込み位置の境界をＥＣＣブロックの境界と一致させることが考えられる。即ち、ＥＣＣブロック中で主情報のセクタと秘匿情報が埋め込まれたセクタとが混在しないようにすることで、主情報セクタと秘匿情報が埋め込まれたセクタでの書き込みを分離して行えるようにできる。
しかしながら、例えば、ＤＶＤでは１６セクタでＥＣＣブロックを構成していることから、通常の書き込み処理において書き込むデータの切れ目とＥＣＣブロックの境界とを一致させるのは困難である。この結果、主情報セクタと秘匿情報とが混在するＥＣＣブロックの発生を完全に防止することは困難であり、主情報の訂正、書き込みによって、秘匿情報が損傷する可能性があった。
上記に鑑み、本発明は主情報の書き換え時に秘匿情報の保護が図られる記録媒体処理装置を提供することを目的とする。
【課題を解決するための手段】
【０００５】
Ａ．上記目的を達成するために、本発明に係る記録媒体処理装置は、特定情報を含むデータブロックを２つ以上有し、かつ所定の容量の２倍以上のデータ容量の特定情報ファイルと、主情報を含む主情報ファイルと、を備えるデータから、前記所定の容量をデータ容量とする誤り訂正符号ブロックを生成する誤り訂正ブロック生成部と、前記誤り訂正ブロック中の特定情報に秘匿情報を埋め込む秘匿情報埋め込み部と、前記秘匿情報が埋め込まれた誤り訂正ブロックを記録媒体に書き込む書き込み部と、を具備することを特徴とする。
【０００６】
Ｂ．本発明に係る記録媒体処理装置は、秘匿情報が埋め込まれた特定情報を含み、論理セクタに区分され、かつ連続する２以上のデータブロックの少なくともいずれかを記録媒体から読み出す読み出し部と、前記読み出されたデータブロックの論理セクタと、この論理セクタと対応する誤り訂正ブロックの物理セクタの対応関係に基づき、前記データブロック中から論理セクタを抽出するセクタ抽出部と、前記抽出された論理セクタを整列してデータブロックを再生するブロック再生部と、を具備することを特徴とする。
【発明の効果】
【０００７】
以上説明したように、本発明によれば主情報の書き換え時に秘匿情報の保護が図られる記録媒体処理装置を提供できる。
【発明を実施するための最良の形態】
【０００８】
以下、図面を参照して、本発明の実施の形態を詳細に説明する。
（第１の実施の形態）
図１は本発明の第１実施形態に係るディスク記録装置を表す図である。
ここでは、コンテンツデータ（Contents Data）、メディア鍵ブロック（ＭＫＢ：Media Key Block）等の主情報、及び所有データ（RP-Data)などの特定情報に、秘匿情報たるメディアマーク（MM）を埋め込み、記録媒体Ｄへの書き込みを行っている。
コンテンツデータは、映像、音声等を表すデータである。このコンテンツデータは暗号化されて記録媒体Ｄに書き込まれることから、図１で入力される以前に暗号化された暗号化コンテンツ（Enc-contents）となっているのが通例である。本図では暗号化前（平文）のコンテンツと暗号化コンテンツとを区別する必要がないことから、単にコンテンツデータ（Contents Data）としている。
【０００９】
メディア鍵ブロック（ＭＫＢ）、所有データ（RP-Data)、およびメディアマーク（MM）はいずれも、コンテンツデータ（Contents Data）を保護するための情報である。
メディア鍵ブロック（ＭＫＢ）、メディアマーク（MM）は、暗号化コンテンツを復号する暗号鍵の一要素である。
所有データ（RP-Data)は、著作権、商標権、および周知名称等所有権の対象となるデータである。所有データ（RP-Data）が、映像、音声のデータ等著作物性を有するデータであれば、著作権の対象となる。また、所有データ（RP-Data）が商標的機能を発揮する場合に商標権の対象となり得る。商標的機能を発揮する場合として、光ディスク１０をディスクドライブ（再生装置）にセットしたときに、商標の図柄が再生される場合を挙げることができる。販売店でデモしたようなときに、結果として、所有データが顧客に商標として認識されることになるからである。
【００１０】
ここではメディア鍵ブロック（ＭＫＢ）を主情報、所有データ（RP-Data)を特定情報とし、メディアマーク（MM）を秘匿情報としているが、ある意味でこの区分は絶対的なものではなく、これと異なる区分とすることも可能である。狭い意味では、コンテンツデータを主情報として観念することができる。一方、コンテンツデータと共に処理されるものを主情報とし、この主情報に埋め込まれる情報を秘匿情報とすれば、特定情報は主情報の一部と考えられる。
【００１１】
主情報がデータフレーム生成部Ｒ０１に入力され、２Ｋバイトのデータパケットによるデータフレーム（Data frame）構造に纏められる。これと並行して、各データフレームに対応するセクタ識別子（ＩＤ：Sector-ID）にＩＤ誤り検出符号（IED）が付加される。データフレーム生成部Ｒ０１で生成されたデータフレームはＥＤＣ生成部Ｒ０２に入力され、セクタ識別子（ＩＤ）および予備データ（RSB）が付加され、さらに誤り検出符号（ＥＤＣ：Error Detection Code）が生成、付加される。
【００１２】
図２は、データフレーム生成部Ｒ０１で生成されるデータフレーム（Data frame）構造を表す模式図である。データフレームが、セクタ識別子（ＩＤ）、ＩＤ誤り検出符号（IED）、予備データ（RSB）、メインデータ（主情報たるコンテンツデータ）、誤り検出符号（ＥＤＣ）から構成されている。
【００１３】
ＥＤＣ生成部Ｒ０２から出力されたデータフレームはスクランブル部Ｒ０３に入力し、データフレーム中の主情報にスクランブル信号が重畳される。このスクランブル信号は、セクタ識別子（ＩＤ）の一部データに基づいて決定されるのが通例である。スクランブル処理されたデータフレームはＥＣＣブロック生成部Ｄ０３１に入力され、１６組のデータフレームからＥＣＣブロックが生成される。ＥＣＣブロックはＰＯ／ＰＩ生成部Ｒ０５１に入力され、誤り訂正外符号ＰＯと内符号ＰＩが生成付加される。
図３は、ＰＯ／ＰＩ生成部Ｒ０５１から出力される誤り訂正外符号ＰＯと内符号ＰＩが生成付加されたＥＣＣブロックを表す模式図である。図１のデータフレームが１６組集合して構成されたデータブロックに誤り訂正符号ＰＯ、ＰＩが付加されている。
【００１４】
ＰＯ／ＰＩ生成部Ｒ０５１から出力されたＥＣＣブロックはＰＯインターリーブ部Ｒ０６に入力され、ＥＣＣブロック中の誤り訂正外符号ＰＯが分散配置される。この結果、ＥＣＣブロックは、誤り訂正内符号ＰＩと外符号ＰＯが分散配置され、かつＰＯの一部が付加されてなる記録セクタが集合した構造となる。
図４は、ＰＯインターリーブ部Ｒ０６から出力される誤り訂正外符号ＰＯが分散配置されたＥＣＣブロックを表す模式図である。これらの記録セクタは同期信号（Sync）付加＆第１変調部Ｒ０７で変調処理され、同期信号が付加される。
【００１５】
一方、メディアマーク（MM）はメディアマークパリティ（MM-Pa）生成部Ｒ１１でメディアマーク（MM）専用誤り訂正符号（MM-Pa）が付加されて訂正符号付加メディアマーク（MM＋MM-Pa)となり、第２変調部Ｒ１３で変調される。
図５は、第２変調部Ｒ１３から出力されるメディアマーク信号を含むＭＭファイルの構成例を表す図である。即ち、物理領域で取り扱われるＥＣＣブロックと同じ容量のブロックを（メディアマーク）ＭＭブロックと定義し、ＭＭファイルは２ＭＭブロック以上の大きさで構成することとする。例えば、２Ｋバイトのセクタがファイル管理のパケット単位の場合、ＥＣＣブロックが１６セクタで構成されていれば、ＭＭブロックは１６ＭＭセクタで構成され、ＭＭファイルは２ＭＭブロック以上で構成する。なお、この詳細は後述する。
【００１６】
変調された記録セクタおよび変調されたメディアマークがメディアマーク(MM)置換部Ｒ１４に入力し、記録セクタ中の主情報変調信号の一部がメディアマーク変調信号と置き換えられ記録信号が生成される。
図６は、メディアマーク(MM)置換部Ｒ１４から出力される、メディアマーク信号（MM）が組み込まれた状態の物理セクタを表す模式図である。メディアマーク変調信号（MM）は複数の物理セクタに分散配置されることで、主情報の誤り訂正能力をさほど悪化させることなくして、主情報の復元可能性を向上している。メディアマーク変調信号の分散配置は、その秘匿性の向上に繋がる。
この記録信号が記録媒体書込み部Ｒ０８によって記録媒体Ｄに書込まれる。
以上のように、本実施形態では、変調された主情報の一部を特殊変調されたＭＭ信号で置換して記録媒体に記録している。ＭＭ信号が埋め込まれた部分は主情報の復調ではエラーデータとなり、誤り訂正処理で主情報が復元される。
なお、復調時には記録媒体から読み出された変調されたデータストリームであるチャンネルビットを、ＭＭ信号復調用特殊復調器で復調し、検出する。
【００１７】
以下、図５に示すように、ＭＭファイルの容量をＥＣＣブロックの容量の２倍以上とした理由を説明する。
記録媒体（例えば、ＤＶＤ）では、ある程度のデータの集合としてデータの処理、記録等が行われるのが通例である。例えば、ＤＶＤでは２Ｋバイトを単位としたデータフレームが１６組連結されたＥＣＣブロックを単位として記録媒体への記録再生が行われる。即ち、コンテンツのデータファイル側からは、２Ｋバイトのデータフレームが基準であり、ドライブにおける記録再生処理は、１６データフレーム集合体のＥＣＣブロックが処理基準になっている。
【００１８】
このようなＤＶＤ規格の構成では、ＥＣＣブロックの領域をさらに細分化し、コンテンツ側のデータファイルがＥＣＣブロック中のどの領域に対応するかの管理は行われない。ＥＣＣブロック中にMM信号が埋め込まれた主情報信号（ＭＭデータファイル）が含まれる場合に、このＥＣＣブロック中に他のデータデータファイルが含むことが考えられる。この場合に、他のファイルを書き換えようとすると、このＥＣＣブロック全体で書き換えを行うことになる。このときには、ＥＣＣブロック中のデータが読み出され、読み出されたデータの一部を変更することで、ＥＣＣブロック中のデータを変更することになる。
しかしながら、ＥＣＣブロック中のデータの読み出しの際の誤り訂正処理によって、埋め込まれたＭＭ信号が消滅してしまう。ＭＭ信号は、誤り訂正処理で消滅するように埋め込まれているからである（ドライブ内でのみＭＭ信号が再生され、その外にＭＭ信号が取り出されない、いわば「消える電子透かし」技術による埋め込み）。
【００１９】
このように、ファイル管理がＥＣＣブロックを単位として行われることに起因して、データの訂正の際にＭＭ信号が消滅する可能性がある。即ち、データの記録再生パケットがセクタ単位で定義され、複数のデータセクタ（フレーム）が集合されて構成されたＥＣＣブロックを単位として、記録媒体への記録再生を行うシステムでは、ＭＭ信号が消滅する危険性を完全には排除できなかった。
ＭＭデータファイルと他のデータファイルとの境界がＥＣＣブロックの境界と常に一致すれば、このような他のデータファイルの訂正によるＭＭ信号の消滅を防止することができる。
これに対して、本実施形態では、ＭＭ信号を埋め込むＭＭデータファイルの境界とＥＣＣブロックの境界との関係に依らず、ファイル書き替えによるＭＭ信号の消滅の防止が図られる。これを次に説明する。
【００２０】
図７は、図５のように定義されたＭＭファイルが、記録媒体に他のデータファイルと連結して記録された場合の例を示したものである。
ここでは、ＥＣＣブロック番号（ｎ）〜（ｎ＋５）の領域に、「ファイル（ｎ）」と「ＭＭファイル」「ファイル（ｍ）」が連続して記録されている。ファイルｎは、ＥＣＣブロック「ECC-B(n+2)」の物理セクタ１まで記録されており、MMファイルは「ECC-B(n+2)」の物理セクタ２から「ECC-B(n+5)」のセクタ１まで記録している。ファイル（ｍ）は、「ECC-B(n+5)」のセクタ２以降に記録されている。なお、MMファイルは（MM-0）から（MM-2）まで３つのMMブロックで構成されている。なお、各MMブロックはMM信号が埋め込まれる各セクタの場所を同じとしている。
【００２１】
MM信号を埋め込むMMファイルを、ＥＣＣブロックの２倍以上の容量で構成した結果、物理的なＥＣＣブロックの境界がMMファイルのどの位置に配置されていても、MM信号を抽出することが可能になる。即ち、MMファイルが記録された後にファイル（ｎ）が書き換えられたとする。このとき、ECC-B(n+2)の書き換えに伴って、ＭＭファイル（MM-0）のMMセクタS0〜S13に埋め込まれたMM信号は消滅してしまう。しかしながら、ECC-B(n+3)とECC-B(n+4)は書き換えられないため、消滅していないMM信号が埋め込まれたセクタが２組確保される。この結果、２組のMM信号に基づき、信頼性のあるMM信号を再生できる。
【００２２】
図８は、MM信号を埋め込んだMMセクタによるMMブロックと、記録媒体にＥＣＣブロック単位で記録されたときの配置関係を示した模式図である。ＭＭブロックの各セクタＳ０〜Ｓ１５は前述の図６に示したメディアマーク信号（MM）が組み込まれた状態の物理セクタに対応する。
このようにＥＣＣブロックの２つ分の容量でMMファイルを構成することで、隣接ファイルの書換えによってMMファイルの１部セクタが書き換えられたときに、他のMMセクタを用いてMM信号を検出できる。即ち、ＭＭブロックとＥＣＣブロックの境界が一致しなくても、ＭＭ信号を再生できる。
【００２３】
以上から判るように、ＭＭブロックが２組以上連続して配置され、この組となったＭＭブロックの容量が２つ以上のＥＣＣブロックの容量に相当するときに、ＭＭブロックを再現可能であることが判る。
ＭＭファイルと他のファイルが混在するＥＣＣブロックでは、この他のファイルの書き替えによってＭＭファイルが破壊される可能性がある。しかし、ＭＭファイルのみを含む（通常のファイルを含まない）ＥＣＣブロックは破壊されることがない。即ち、連続するＭＭブロック中でデータの書き替えによって破壊される可能性があるのは、ＭＭブロックの先頭を含むＥＣＣブロックと、その末尾を含むＥＣＣブロックのみであり、この中間のＥＣＣブロックはＭＭブロックのみを含むことから書き替えられることがない。この場合、この中間のＥＣＣブロックには、ＭＭブロックのセクタが全て含まれることから、元のＭＭブロックを再現できる。
【００２４】
このとき、ＭＭブロック中のＭＭセクタを判別できれば、この判別結果を利用して、ＭＭブロックを容易に再現することができる。このためには、ＭＭセクタ自体にそのＭＭセクタとＭＭブロックとの関係を識別可能なＭＭセクタ識別番号等のＭＭセクタ識別情報を含ませることが考えられる。このＭＭセクタ識別番号は、ＥＣＣブロック中での物理セクタに付与される物理セクタ番号と同様の役割を果たすことになる。
【００２５】
図９は、MMセクタ識別番号を付加したMMファイルを表す模式図である。各ＭＭセクタにMMセクタ識別番号が書き込まれる。
既述のように、ＭＭファイルは主情報信号にＭＭ信号を埋め込んで構成される。ここで用いられる主情報は、コンテンツデータ等の本来の主データに限られない。即ち、ここでいう主情報は、通常の主情報と同様に取り扱われ、誤り訂正処理で再現されることが予定される情報であり、実体的な内容は問われない。このため、ＭＭ信号が埋め込まれる主情報信号として、ダミーデータを用いることが可能である。
このとき、ＭＭセクタ識別番号を書き込む領域によって、タイプＡ，タイプＢの２つに区分することができる。
【００２６】
（１）タイプＡ
タイプＡは主データの領域にMMセクタ識別番号を書き込むものである。
１）例えば、主データをMMセクタ番号の繰り返しで構成することが考えられる。記録信号を生成する際に、主データはスクランブル処理され、ランダム信号となることから、記録信号からＭＭセクタ番号、即ち、MM信号の埋め込み状況が容易には判断されることは無い。
２）MMセクタ番号と乱数パターンとを対応付けしておき、ＭＭセクタ番号の代わりに乱数パターンを主データの領域に記録することも可能である。このようにすると、乱数パターンの番号が見かけ上連続しないことから、乱数パターンとMMセクタ識別番号との対応関係を隠すことが容易となる。
３）主データの領域に、MMセクタ識別番号のみならず、MMブロック識別番号も併せて記録しておけば、必要なMMセクタを寄せ集める処理がより容易になる。
【００２７】
（２）タイプＢ
タイプＢはリザーブエリア（RSB）にMMセクタ識別番号を書き込むものである。
１）リザーブエリア（RSB）にMMセクタ識別番号をそのまま書き込むことが考えられる。この場合、リザーブエリア（RSB）の容量が許せば、MMセクタ識別番号を繰り返してもよい。
２）ＭＭセクタ番号の代わりに乱数パターンを記録してもよい。
３）MMセクタ識別番号のみならず、MMブロック識別番号も併せて記録しておけば、必要なMMセクタを寄せ集める処理がより容易になる。
【００２８】
図１０は、MMブロックと隣接するファイルが書き替えられたことで、ＭＭ信号の一部が消滅した場合のＭＭブロック再現の手順の一例を示したフローチャートである。
（１）ＭＭファイルをＭＭセクタ単位で読み出す（ステップＳ１１）。
【００２９】
（２）読み出されたＭＭセクタ中のＭＭ信号が消滅している可能性があるか否かを判定する（ステップＳ１２）。この判定は、読み出されたＭＭセクタのＭＭブロック番号、ＭＭセクタ番号、およびＥＣＣセクタ番号に基づいて行える。
例えば、ＭＭブロック中のＭＭセクタ番号がＥＣＣブロック中のＥＣＣセクタ番号と同様に０〜Ｆ（十進表示で１５）の順で付与されている場合を考える。
この場合には、読み出されたMMセクタが最初のMMブロックに含まれ、かつＥＣＣセクタ番号（下位４ビット）がMMセクタ番号より大きい場合は、MM信号が消滅している可能性がある。また、読み出されたMMセクタが最後のMMブロックに含まれ、かつＥＣＣセクタ番号（下位４ビット）がMMセクタ番号より小さい場合は、MM信号が消滅している可能性がある。これらの場合、読み出されたＭＭセクタが他のファイルを含むＥＣＣブロックに属するからである。
【００３０】
（３）ＭＭ信号が消滅している可能性がないＭＭセクタをＭＭセクタ識別番号の順に並べることでＭＭブロックが再現される（ステップＳ１３）。この場合に、同一のＭＭセクタ識別番号のＭＭセクタが複数存在する可能性もあるが、この場合にはこれらのいずれかを採用すれば良い。ここでは、ＭＭセクタ識別番号が同一であればＭＭセクタの内容も同一であるとしているからである。
（４）必要であれば、再生されたＭＭ信号に誤り訂正処理を施して信頼性を有するＭＭ信号を検出する（ステップＳ１４）。
この誤り訂正処理を実現するためには、ＭＭ信号にＭＭ信号の誤り訂正符号を付加しておけばよい。
【００３１】
図１１は、MMブロックと隣接するファイルが書き替えられたことで、ＭＭ信号の一部が消滅した場合のＭＭブロック再現手順の他の例を示したフローチャートである。
（１）ＭＭファイルのみが記録されているＥＣＣブロックを選別する（ステップＳ２１）。
２以上の同一のＥＣＣブロックを連続して配置し、２つ以上のＥＣＣブロックに跨るようにしておくと、いずれかのＥＣＣブロック中にＭＭブロックの要素が含まれていることが期待できる。
このとき、ＭＭファイルが含まれる最初、最後のＥＣＣブロック中では、ＭＭファイル以外のファイルが混在し、ＭＭ信号が破壊されている可能性がある。最初と最後を除外したＥＣＣブロックはＭＭ信号が維持され、これらからＭＭブロックを再現できる。但し、最初と最後であっても、ＭＭブロックの最初または最後（境界）がＥＣＣブロックと一致していれば、このＥＣＣブロックにはＭＭファイルのみが含まれ、ＭＭ信号が維持されることになる。
ここで、ＭＭブロックとＥＣＣブロックとの容量を一致させておけば、一つのＥＣＣブロックのみからＭＭブロックを再現することが可能となる。
【００３２】
（２）読み出されたＥＣＣブロック中のＭＭセクタのＭＭセクタ番号を読み出し、読み出されたＭＭセクタをＭＭセクタ番号の順に並べ、ＭＭブロックを再現する（ステップＳ２２）。
（３）必要であれば、再生されたＭＭ信号に誤り訂正処理を施して信頼性を有するＭＭ信号を検出する（ステップＳ２３４）。
この誤り訂正処理を実現するためには、ＭＭ信号にＭＭ信号の誤り訂正符号を付加しておけばよい。
【００３３】
（第２の実施の形態）
図１２は本発明の第２実施形態に係るディスク記録装置を表すブロック図である。
２ＫバイトのデータをパックとしたデータフレームにＩＤや誤り訂正検出符号等を生成付加し、スクランブル処理した後に、１６データフレームを集合して誤り訂正内符号（ＰＩ）／外符号（ＰＯ）を生成付加しＥＣＣブロックを構成することは図１の場合と同様である。
ここでは、ＰＩ＆ＰＯ生成後（ＰＯインタリーブ後でも良いが）に、一部のデータにＭＭ信号を重畳する。ＥＣＣブロックの外符号（ＰＯ）に、行インターリーブ処理を行い、各データフレーム毎にＰＯ各１行が分配配置され、１６組の記録データフレームの集合体が構成される。このようにしてＭＭ信号が一部のデータ上（ＰＩ／ＰＯ領域も含む）にＭＭ信号が重畳された状態で、Ｓｙｎｃ付加や変調処理が施され、物理セクタが構成されて、記録媒体に記録される。
この場合でも、ＭＭ信号が埋め込まれた部分は主情報の復調ではエラーデータとなり、誤り訂正処理で主情報が復元される。ＭＭ信号は、主情報の誤り訂正処理の過程で検出されるエラーパターンを抽出することで、検出される。
【００３４】
（第３の実施の形態）
図１３は、本発明の第３の実施形態に係る記録再生装置の構成図である。
図１３の上半分はコンテンツを暗号化して記録媒体に記録することを表す。
ＡＶエンコーダモジュールではＡＶエンコーダＲ１でコンテンツたるＡＶ（Ａｕｄｉｏ＆Ｖｉｓｕａｌ）データがエンコードされ、コンテンツ暗号化部Ｒ２でタイトル鍵（Kt）によって暗号化される。この暗号化コンテンツ（Enc-Contents）は、ドライブ内で誤り訂正符号付加（ＥＣＣ付加部Ｒ５）、変調処理（変調処理部Ｒ６）が施され、書き込みチャネル部Ｒ７によって記録媒体に記録される。
コンテンツ暗号化に使われるタイトル鍵（kt）は、タイトル鍵暗号化部Ｒ４によってメディア固有鍵Kmで暗号化され、暗号化タイトル鍵（Enc-TK）となる。このメディア固有鍵Kmは、デバイス鍵セット（Ｄｖ：Device Key Set）と、再生処理部Ｒ８によってディスクから読み出されたメディア識別子（M-ID）およびメディア鍵ブロック（MKB）によって生成される（ＭＩＤＢ＆ＭＫＢ処理部Ｃ２）。
【００３５】
暗号化タイトル鍵（Enc-TK）は、ＡＶエンコーダモジュールからドライブに送られ、暗号化部Ｃ５でメディアマーク（MM）信号で多重暗号化され、多重暗号化タイトル鍵（Enc２-TK）として、誤り訂正符号付加（ＥＣＣ付加部Ｒ５）、変調処理（変調処理部Ｒ６）が施され、書き込みチャネル部Ｒ７によって記録媒体に記録される。
MM信号は必要に応じて、MM信号用訂正符号付加や暗号化され（グローバルシークレット鍵を利用可）、主情報とは異なる変調器Ｃ６で変調され、書き込みチャネル部Ｒ７で変調された主情報の１部と置換されて記録媒体に記録される。
このとき、MM信号が埋め込まれる主情報はMMブロックとMMセクタ番号を含むダミーデータによって構成されるものとする。即ち、MM信号が埋め込まれたダミーデータをMMファイルとする。
【００３６】
図１３の下半分は記録媒体から暗号化されたコンテンツを再生することを表す。
記録媒体から読み出しチャネル部Ｐ７によって読み出されたＭＭ信号が復調される（ＭＭ復調部Ｃ７）。この復調に際して、MMファイルからMMブロックとMMセクタ番号が検出され（ＭＭセクタ／ブロック番号検出部Ｃ８）、MM復調部Ｃ７による指定の場所からのMM変調信号の読出し、および信頼性あるMM信号の検出に用いられる。
読み出しチャネル部Ｐ７、復調部Ｐ６，誤り訂正処理部（ＥＣＣ）Ｐ５を通じて、ディスクから多重暗号化タイトル鍵（Enc２-TK）を読み出し、復号化部Ｐ８によってMM信号で復号して、暗号化タイトル鍵（Enc-TK）を再生する。暗号化タイトル鍵（Enc-TK）はＡＶデコーダモジュールに送り出され、メディア固有鍵Kmで復号され、タイトル鍵（TK）となる。このメディア固有鍵Kmuは、デバイス鍵セット（ＤｖＫ：Device Key Set）と、再生処理部Ｒ８によってディスクから読み出されたメディア識別子（M-ID）およびメディア鍵ブロック（MKB）によって生成される（ＭＩＤＢ＆ＭＫＢ処理部Ｃ２）。
次に暗号化コンテンツを読み出して、タイトル鍵で復号して平文のコンテンツを再生する。
以上のように、本実施形態に係る記録再生装置では、主情報信号に埋め込まれたＭＭ信号を用いて、コンテンツの暗号化、復号化を行っている。
【００３７】
（第４の実施の形態）
図１４は、本発明の第４の実施形態に係るコンテンツの暗号化手順の例を示す図である。
コンテンツ暗号鍵のタイトル鍵がメディア固有鍵（Kmu）で暗号化される。ＡＶエンコーダ部で暗号化された暗号化暗号鍵(Enc-TK)は、ドライブ内で秘匿情報MMによって多重に暗号化され、多重暗号化暗号鍵（Enc2-TK）として記録媒体に記録される。
このとき、メディアマーク（MM）は秘匿情報としてダミーデータのファイルに埋め込まれる。そして、ドライブ内でのみ抽出可能なデータとして暗号鍵管理システムで利用される。
【００３８】
（第５の実施の形態）
図１５は、本発明の第５の実施形態に係り、図１４の手順で暗号化されたコンテンツの復号手順を示す図である。
タイトル鍵は多重暗号化されて記録される。この復号化処理では、ドライブ内で秘匿情報としてのMM信号を検出する。そして、記録媒体に記録されている多重暗号化されたタイトル鍵を、MM信号で暗号化されている部分についてのみ復号する。
ドライブで復号化された暗号鍵は、メディア固有鍵（Kmu）にて暗号化された暗号化暗号鍵であるので、ＡＶデータ処理部で復号処理を行い、タイトル鍵を抽出し、暗号化コンテンツの復号処理を行う。
【００３９】
（第６の実施の形態）
本発明の第６の実施形態を説明する。
図１６は、暗号化コンテンツが記録された記録媒体から、他の記録媒体にコンテンツが移動する場合の関係を示した図である。
記録媒体Ａには暗号化コンテンツ（Enc-contents）および多重暗号化タイトル鍵（Enc２-TK（ａ））等が記録されている。記録媒体Ａから暗号化コンテンツ（Enc-contents）が読み出され、復号化された後に、新たなタイトル鍵（TK（ｂ））で暗号化され記録媒体Ｂに記録される。タイトル鍵（TK）は、メディア識別子（M-ID）、メディア鍵ブロック（MKB）、ＭＭ信号によって多重暗号化タイトル鍵（Enc２-TK（ｂ））となり、記録媒体Ｂに記録される。その後に、記録媒体Ａから多重暗号化タイトル鍵（Enc２-TK（ａ））およびMM信号が消去され、記録媒体Ａからのコンテンツの再生が行えないようになる。
【００４０】
このようなコンテンツ移動は、コンテンツの数を規制しコンテンツの配置場所を自由にする方法であり、単なるコピー禁止に比べてユーザの便宜である。ここで、記録媒体Ａから暗号化コンテンツを完全に消去するのに時間を有することから、暗号化コンテンツの消去に代えて多重暗号化タイトル鍵（Enc２-TK（ａ））およびMM信号を消去している。
多重暗号化タイトル鍵（Enc２-TK（ａ））は、秘匿情報たるＭＭ信号を用いない限り、これを復号化してタイトル鍵（TK（ａ））を再生することができない。このことから、不正な手段でタイトル鍵（TK（ａ））を再生されることを防止することができる。
【００４１】
次のような行為が考えられる。即ち、予め記録媒体Ａから多重暗号化タイトル鍵（Enc２-TK（ａ））を読み出しておく。そして、記録媒体Ａから記録媒体Ｂにコンテンツが移動され、多重暗号化タイトル鍵（Enc２-TK（ａ））およびMM信号が消去された後に、前に読み出しておいた多重暗号化タイトル鍵（Enc２-TK（ａ））およびMM信号を記録媒体Ａに再書き込みする。なお、多重暗号化タイトル鍵（Enc２-TK（ａ））およびMM信号が存在する領域が明確に判らなくても、これらが含まれる可能性の有る領域を広く読み出し、再書き込みすることが考えられる。
このような手段で記録媒体Ａの記録状態を再現しようとしたとしても、MM信号は読み出し時の誤り訂正処理によって破壊され、これを読み出すことができないため、記録媒体Ａに記録されている暗号化コンテンツの復活が防止される。
【００４２】
（第７の実施の形態）
本発明の第７の実施形態を説明する。
図１７は、図１４，１５の処理手順において、複数の暗号化コンテンツが記録媒体に記録・再生・移動などが行われる場合の総合的な構成例としての全体関係の一例を示したものである。
本図の例では、MM信号はグローバルシークレットな暗号鍵で暗号化して暗号化された暗号化ＭＭ信号（E-MMO）として、多重暗号化タイトル鍵（EE-TK0、即ち、多重暗号化されたコンテンツ暗号化暗号鍵）と共に記録媒体に記録されている。
ここで、複数の暗号化コンテンツが同一の記録媒体に記録されている場合において、このそれぞれに異なるタイトル鍵（TK)を対応させることで、個別に新規記録や移動処理、再生処理を容易に行える。
【００４３】
暗号鍵（タイトル鍵（TK)）が各コンテンツそれぞれに対応して複数存在し、この一方、秘匿情報データ（MM信号）は１組のみとしている。そして、複数の暗号化暗号鍵のいずれかを用いたコンテンツの書換えや消去などが行われる場合、MM信号およびこれを用いて暗号化される暗号化暗号鍵を更新している。即ち、暗号化ＭＭ信号（E-MM0）が暗号化ＭＭ信号（E-MM１）に、多重暗号化タイトル鍵（EE-TK0）が多重暗号化タイトル鍵（EE-TK１）に、それぞれ更新される。
なお、存続するコンテンツに対応するタイトル鍵はそのまま保持される。既存の暗号化コンテンツを再度暗号化して再書き込みすることを回避するためである。
【００４４】
このような鍵の更新処理によって、複数の暗号化コンテンツが記録された記録媒体から一部の暗号化コンテツが移動処理（移動後に消去）されたり、コンテンツの追加記録、及び再生処理が同一記録媒体上で行う場合にコンテンツの不正コピーを防止することが容易となる。
以前から存在する暗号化コンテンツおよび追加された暗号化コンテンツは、新たな暗号化ＭＭ信号（E-MM１）、多重暗号化タイトル鍵（EE-TK１）を用いて復号できる。一方、消去されたコンテンツでは、コンテンツそのものを消去する代わりに、新たな暗号化ＭＭ信号（E-MM１）、多重暗号化タイトル鍵（EE-TK１）が作成されないことから、この暗号化コンテンツを復号することができなくなる。即ち、更新前の多重暗号化タイトル鍵（EE-TK0）が入手できたとしても、MM信号が更新されていることから、暗号化コンテンツを再生することができない。
【００４５】
暗号化ＭＭ信号（E-MM０）、多重暗号化タイトル鍵（EE-TK０）の更新は次のように行われる。ＭＭ信号が更新され、暗号化されて暗号化ＭＭ信号（E-MM１）として記録媒体に記録される。例えば、暗号化ＭＭ信号（E-MM0）として読み出され復号されたＭＭ信号をＭＭ更新部でカウントアップすることでＭＭ信号を更新できる。
多重暗号化タイトル鍵（EE-TK０）を記録媒体から読出し、暗号化ＭＭ信号（E-MM0）で復号化され、タイトル鍵（TK０）が生成される。ここで、複数のタイトル鍵（TK０）の一部が変更及び追加される場合には、タイトル鍵（TK０）の消去部分や追加部分が修正される。
このタイトル鍵（TK０）を更新された新しいMM信号で多重暗号化して多重暗号化タイトル鍵（EE-TK１）として記録媒体に記録する。
【００４６】
（その他の実施形態）
本発明の実施形態は上記の実施形態に限られず拡張、変更可能であり、拡張、変更した実施形態も本発明の技術的範囲に含まれる。
【図面の簡単な説明】
【００４７】
【図１】本発明の第１実施形態に係るディスク記録装置を表す図である。
【図２】データフレーム（Data frame）構造を表す模式図である。
【図３】誤り訂正外符号ＰＯと内符号ＰＩが生成付加されたＥＣＣブロックを表す模式図である。
【図４】誤り訂正外符号ＰＯが分散配置されたＥＣＣブロックを表す模式図である。
【図５】メディアマーク信号を含むＭＭファイルの構成例を表す図である。
【図６】メディアマーク信号が組み込まれた状態の物理セクタを表す模式図である。
【図７】ＭＭファイルが、記録媒体に他のデータファイルと連結して記録された場合の例を示したものである。
【図８】MM信号を埋め込んだMMセクタによるMMブロックと、記録媒体にＥＣＣブロック単位で記録されたときの配置関係を示した模式図である。
【図９】MMセクタ識別番号を付加したMMファイルを表す模式図である。
【図１０】MMブロックと隣接するファイルが書き替えられたことで、ＭＭ信号の一部が消滅した場合のＭＭブロック再現の手順の一例を示したフローチャートである。
【図１１】MMブロックと隣接するファイルが書き替えられたことで、ＭＭ信号の一部が消滅した場合のＭＭブロック再現手順の他の例を示したフローチャートである。
【図１２】本発明の第２実施形態に係るディスク記録装置を表すブロック図である。
【図１３】本発明の第３の実施形態に係る記録再生装置の構成図である。
【図１４】本発明の第４の実施形態に係るコンテンツの暗号化手順の例を示す図である。
【図１５】本発明の第５の実施形態に係り、暗号化されたコンテンツの復号手順を示す図である。
【図１６】暗号化コンテンツが記録された記録媒体から、他の記録媒体にコンテンツが移動する場合の関係を示した図である。
【図１７】複数の暗号化コンテンツが記録媒体に記録・再生・移動などが行われる場合の総合的な構成例としての全体関係の一例を示したものである。
【符号の説明】
【００４８】
Ｒ０１…データフレーム生成部、Ｒ０２…ＥＤＣ生成部、Ｒ０３…スクランブル部、Ｄ０３１…ＥＣＣブロック生成部、Ｒ０５１…ＰＯ／ＰＩ生成部、Ｒ０６…インターリーブ部、Ｒ０７…ＳＹＮＣ付加＆第１変調部、Ｒ１１…ＭＭパリティ生成部、Ｒ１３…第２変調部、Ｒ１４…ＭＭ置換部、Ｒ０８…記録媒体書込部
【図１】
2005317147.tif 000003
【図２】
2005317147.tif 000004
【図３】
2005317147.tif 000005
【図４】
2005317147.tif 000006
【図５】
2005317147.tif 000007
【図６】
2005317147.tif 000008
【図７】
2005317147.tif 000009
【図８】
2005317147.tif 000010
【図９】
2005317147.tif 000011
【図１０】
2005317147.tif 000012
【図１１】
2005317147.tif 000013
【図１２】
2005317147.tif 000014
【図１３】
2005317147.tif 000015
【図１４】
2005317147.tif 000016
【図１５】
2005317147.tif 000017
【図１６】
2005317147.tif 000018
【図１７】
2005317147.tif 000019